(57)【特許請求の範囲】
【請求項１】
トリフルオロエチレンと１，１−ジフルオロエチレンを含有し、作動媒体に対する前記１，１−ジフルオロエチレンの含有量の割合が４ｐｐｍ以上１．５質量％未満であることを特徴とする熱サイクル用作動媒体。
【請求項２】
作動媒体に対する前記１，１−ジフルオロエチレンの含有量の割合が０．５質量％以下である、請求項１に記載の熱サイクル用作動媒体。
【請求項３】
作動媒体の全量に対する前記トリフルオロエチレンの含有量の割合が８．５質量％以上である、請求項１または２に記載の熱サイクル用作動媒体。
【請求項４】
作動媒体の全量に対する前記トリフルオロエチレンの含有量の割合が１０質量％以上である、請求項１〜３のいずれか一項に記載の熱サイクル用作動媒体。
【請求項５】
作動媒体の全量に対する前記トリフルオロエチレンの含有量の割合が７０質量％以下である、請求項１〜４のいずれか一項に記載の熱サイクル用作動媒体。
【請求項６】
さらに、ヒドロフルオロカーボンおよび／またはヒドロフルオロオレフィンを含むことを特徴とする、請求項１〜５のいずれか一項に記載の熱サイクル用作動媒体。
【請求項７】
前記ヒドロフルオロカーボンがジフルオロメタンである、請求項６に記載の熱サイクル用作動媒体。
【請求項８】
前記ヒドロフルオロオレフィンが２，３，３，３−テトラフルオロプロペンである、請求項６に記載の熱サイクル用作動媒体。
【請求項９】
さらに、ジフルオロメタンおよび２，３，３，３−テトラフルオロプロペンを含むことを特徴とする、請求項１〜５のいずれか一項に記載の熱サイクル用作動媒体。
【請求項１０】
前記ヒドロフルオロオレフィンがトランス−１，３，３，３−テトラフルオロプロペンである、請求項６に記載の熱サイクル用作動媒体。
【請求項１１】
さらに、ジフルオロメタンおよびトランス−１，３，３，３−テトラフルオロプロペンを含むことを特徴とする、請求項１〜５のいずれか一項に記載の熱サイクル用作動媒体。
【発明の詳細な説明】
【技術分野】
【０００１】
本発明は、熱サイクル用作動媒体に関する。
【背景技術】
【０００２】
従来から、冷凍機用冷媒、空調機器用冷媒、発電システム（廃熱回収発電等）用作動媒体、潜熱輸送装置（ヒートパイプ等）用作動媒体、二次冷却媒体等の熱サイクル用作動媒体としては、クロロトリフルオロメタン（ＣＦＣ−１３）、ジクロロジフルオロメタン（ＣＦＣ−１２）等のクロロフルオロカーボン（ＣＦＣ）、またはクロロジフルオロメタン（ＨＣＦＣ−２２）等のヒドロクロロフルオロカーボン（ＨＣＦＣ）が用いられてきた。しかし、ＣＦＣやＨＣＦＣは、成層圏のオゾン層への影響が指摘され、現在、規制の対象となっている。
なお、本明細書において、ハロゲン化炭化水素については、化合物名の後の括弧内にその化合物の略称を記すが、本明細書では必要に応じて化合物名に代えてその略称を用いる。【０００３】
前述の経緯から、熱サイクル用作動媒体としては、ＣＦＣやＨＣＦＣに代わって、オゾン層への影響が少ないジフルオロメタン（ＨＦＣ−３２）、テトラフルオロエタン（ＨＦＣ−１３４）、ペンタフルオロエタン（ＨＦＣ−１２５）等のヒドロフルオロカーボン（ＨＦＣ）が用いられる。例えば、Ｒ４１０Ａ（ＨＦＣ−３２とＨＦＣ−１２５の質量比１：１の擬似共沸混合冷媒）等は、従来から広く使用されてきた冷媒である。しかし、ＨＦＣに関しても、地球温暖化の原因となる可能性が指摘されているため、オゾン層への影響が少なく、地球温暖化係数（ＧＷＰ）の低い熱サイクル用作動媒体の開発が急務となっている。【０００４】
最近、オゾン層への影響が少なく、地球温暖化への影響が少ない熱サイクル用作動媒体として、大気中のＯＨラジカルによって分解されやすい炭素−炭素二重結合を有するヒドロフルオロオレフィン（ＨＦＯ）に期待が集まっている。なお、本明細書では、特に断りのない限り、飽和のＨＦＣをＨＦＣと示し、炭素−炭素二重結合を有するＨＦＯとは区別して用いる。【０００５】
ＨＦＯを用いた作動媒体として、例えば特許文献１には、トリフルオロエチレン（ＨＦＯ−１１２３）を含む組成物が提示されている。特許文献１においては、この作動媒体の不燃性、サイクル性能等を高める目的で、ＨＦＯ−１１２３に各種のＨＦＣやＨＦＯを組み合わせて使用することも提示されている。【０００６】
このようにＨＦＯ−１１２３を含む作動媒体において、サイクル性能に優れる組成物が求められている。
ＨＦＯ−１１２３は各種の方法により製造されるが、どの製造方法を採る場合にも、生成物中に不純物が存在する。そして、このような不純物を含むＨＦＯ−１１２３（以下、粗ＨＦＯ−１１２３ともいう。）をそのまま用いた場合には、サイクル性能に優れる作動媒体が得られない場合があった。【０００７】
そのため、作動媒体として用いるためには、粗ＨＦＯ−１１２３からの不純物を低減する工程が必須である。
【先行技術文献】
【特許文献】
【０００８】
【特許文献１】ＷＯ２０１２／１５７７６４号
【発明の概要】
【発明が解決しようとする課題】
【０００９】
本発明は、オゾン層への影響が少なく、地球温暖化への影響が少ないうえに、サイクル性能優れる、生産性が高い熱サイクル用作動媒体を提供することを目的とする。また、本発明は、粗ＨＦＯ−１１２３からの不純物を低減する工程を簡略化するためになされたものである。
【課題を解決するための手段】
【００１０】
本発明者らは、種々の検討を重ねた結果、ＨＦＯ−１１２３を含み、ジフルオロエチレンの含有量が低い作動媒体を用いることにより、上記課題を解決できることを見出し、本発明を完成させるに至った。【００１１】
すなわち、本発明は、ＨＦＯ−１１２３と１，１−ジフルオロエチレンを含有し、作動媒体に対する前記１，１−ジフルオロエチレンの含有量の割合が４ｐｐｍ以上１．５質量％未満であることを特徴とする。
【発明の効果】
【００１２】
本発明の熱サイクル用作動媒体（以下、作動媒体とも記す。）は、オゾン層への影響が少なく、かつ地球温暖化への影響が少ない。また、ＨＦＯ−１１２３の製造の際に不純物として存在するジフルオロエチレンの含有量が、作動媒体の全量に対して１．５質量％未満に調整されているので、サイクル性能に優れる熱サイクル用作動媒体が得られる。
【図面の簡単な説明】
【００１３】
【図１】本発明の実施例において、作動媒体のサイクル性能を測定するために使用する冷凍サイクルシステムを示した概略構成図である。
【図２】図１の冷凍サイクルシステムにおける作動媒体の状態変化を、圧力−エンタルピ線図上に記載したサイクル図である。
【発明を実施するための形態】
【００１４】
＜作動媒体＞
本発明の実施形態の作動媒体は、ＨＦＯ−１１２３とジフルオロエチレンを含有し、作動媒体に対するジフルオロエチレンの含有量の割合が１．５質量％未満である。
実施形態の作動媒体は、ＨＦＯ−１１２３とジフルオロエチレンの他に、後述する化合物をさらに含有してもよい。
【００１５】
＜ＨＦＯ−１１２３＞
ＨＦＯ−１１２３は、地球温暖化係数（ＧＷＰ）が低く、オゾン層への影響が少なく地球温暖化への影響が少ない。また、ＨＦＯ−１１２３は、作動媒体としての能力に優れ、特にサイクル性能（例えば、後述する方法で求められる成績係数および冷凍能力）に優れている。
ＨＦＯ−１１２３の含有量は、サイクル性能の点から、作動媒体（１００質量％）に対して８．５質量％以上が好ましく、２０質量％以上がより好ましく、３０質量％以上がさらに好ましく、４０質量％以上が特に好ましい。
【００１６】
ＨＦＯ−１１２３は、単独で用いた場合に高温または高圧下で着火源があると分解反応を起こす、いわゆる自己分解性を有することが知られている。ＨＦＯ−１１２３の自己分解反応防止の観点からは、ＨＦＯ−１１２３の含有量は、作動媒体の全量に対して８０質量％以下であることが好ましく、７０質量％以下がより好ましく、６０質量％以下が最も好ましい。
本発明の作動媒体においては、ＨＦＯ−１１２３を、後述するＨＦＣ−３２等と混合してＨＦＯ−１１２３の含有量を抑えることで、自己分解反応を抑えることができる。ＨＦＯ−１１２３の含有割合を８０質量％以下とした場合、熱サイクルシステムに適用する場合の温度や圧力条件下では自己分解性を有しないため、耐久性の高い作動媒体を得ることができる。
【００１７】
＜ジフルオロエチレン＞
ジフルオロエチレンは、ＨＦＯ−１１２３の製造の際に副生し、不純物として生成組成物中に存在する化合物である。ジフルオロエチレンとしては、１，１−ジフルオロエチレン（ＨＦＯ−１１３２ａ）と、Ｅ−および／またはＺ−１，２−ジフルオロエチレン（ＨＦＯ−１１３２）を挙げることができる。なお、Ｅ−および／またはＺ−は、Ｅ体とＺ体の混合物を意味し、Ｅ／Ｚ−とも示す。
【００１８】
作動媒体がジフルオロエチレンを含有すると、サイクル性能が低い。しかし、ジフルオロエチレンの含有量を作動媒体の全量に対して１．５質量％未満とした場合には、十分に優れたサイクル性能を有する作動媒体を得ることができる。ジフルオロエチレンの含有量は作動媒体の全量に対して１．０質量％未満がより好ましく、０．５質量％以下が特に好ましい。
なお、ジフルオロエチレンの含有量は、作動媒体の全量に対して４ｐｐｍ以上とすることが好ましく、５０ｐｐｍ以上がさらに好ましく、１００ｐｐｍ以上が最も好ましい。含有量が４ｐｐｍ以上であれば、粗ＨＦＯ−１１２３を精製し不純物としてのジフルオロエチレンを低減する工程が簡略化できるという利点がある。
【００１９】
＜ＨＦＣおよび／またはＨＦＯ＞
本発明の作動媒体は、ＨＦＯ−１１２３およびジフルオロエチレン以外に、ヒドロフルオロカーボン（ＨＦＣ）、および他のヒドロフルオロオレフィン（ＨＦＯ）をさらに含むことができる。
【００２０】
オゾン層への影響が少なく、かつサイクル性能に優れる点から、ＨＦＣとしては、ジフルオロメタン（ＨＦＣ−３２）、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、およびペンタフルオロエタン（ＨＦＣ−１２５）が挙げられる。これらのＨＦＣは、１種を単独で用いても２種以上を組み合わせて用いてもよい。これらの中でも、ＨＦＣ−３２が特に好ましい。
【００２１】
他のＨＦＯとしては、オゾン層への影響が少なくサイクル特性に優れる点から、２，３，３，３−テトラフルオロプロペン（ＨＦＯ−１２３４ｙｆ）、２−フルオロプロペン（ＨＦＯ−１２６１ｙｆ）、１，１，２−トリフルオロプロペン（ＨＦＯ−１２４３ｙｃ）、トランス−１，２，３，３，３−ペンタフルオロプロペン（ＨＦＯ−１２２５ｙｅ（Ｅ））、シス−１，２，３，３，３−ペンタフルオロプロペン（ＨＦＯ−１２２５ｙｅ（Ｚ））、トランス−１，３，３，３−テトラフルオロプロペン（ＨＦＯ−１２３４ｚｅ（Ｅ））、シス−１，３，３，３−テトラフルオロプロペン（ＨＦＯ−１２３４ｚｅ（Ｚ））、３，３，３−トリフルオロプロペン（ＨＦＯ−１２４３ｚｆ）等が挙げられる。これらのＨＦＣは、１種を単独で用いても２種以上を組み合わせて用いてもよい。なかでも、高い臨界温度を有し、耐久性、サイクル性能に優れる点から、ＨＦＯ−１２３４ｙｆ、ＨＦＯ−１２３４ｚｅ（Ｅ）、ＨＦＯ−１２３４ｚｅ（Ｚ）が好ましく、ＨＦＯ−１２３４ｙｆ、ＨＦＯ−１２３４ｚｅ（Ｅ）が特に好ましい。
【００２２】
＜ＨＦＣ−３２＞
本発明の作動媒体がＨＦＣ−３２を含有する場合、ＨＦＯ−１１２３とＨＦＣ−３２の各含有量の割合は、ＨＦＯ−１１２３とＨＦＣ−３２との合計を１００質量％として、ＨＦＯ−１１２３を１〜９９質量％、ＨＦＣ−３２を９９〜１質量％が好ましい。特に、ＨＦＯ−１１２３の含有割合が９０質量％であり、ＨＦＣ−３２の含有割合が１０質量％である組成物は、気液両相の組成比の差が極めて小さく、共沸組成物となるので安定性に優れている。
【００２３】
また、ＨＦＯ−１１２３とＨＦＣ−３２の含有量の合計（以下、単に合計量という。）は、作動媒体の全量に対して８０質量％以上であることが好ましく、９０質量％以上がより好ましい。ＨＦＯ−１１２３の含有量は、作動媒体の全量に対して４０質量％以上であることが好ましく、６０質量％以上であることがより好ましい。
【００２４】
＜ＨＦＯ−１２３４ｙｆ＞
本発明の作動媒体がＨＦＯ−１２３４ｙｆを含有する場合、ＨＦＯ−１１２３とＨＦＯ−１２３４ｙｆの合計量に対するＨＦＯ−１１２３の含有量の割合は、３５〜９５質量％が好ましく、４０〜９５質量％がより好ましく、５０〜９０質量％がさらに好ましく、５０〜８５質量％がよりさらに好ましく、６０〜８５質量％が最も好ましい。
ＨＦＯ−１１２３とＨＦＯ−１２３４ｙｆの合計量の作動媒体の全量に対する割合は、７０〜１００質量％が好ましい。８０〜１００質量％がより好ましく、９０〜１００質量％がさらに好ましく、９５〜１００質量％が特に好ましい。ＨＦＯ−１１２３とＨＦＯ−１２３４ｙｆの合計量が上記範囲内であれば、ＧＷＰを低く抑え、かつ熱サイクルに用いた際に一定の能力を維持しながら効率をより高めることで、良好なサイクル性能が得られる。
＜ＨＦＯ−１２３４ｚｅ（Ｅ）＞
本発明の作動媒体がＨＦＯ−１２３４ｚｅ（Ｅ）を含有する場合、ＨＦＯ−１１２３とＨＦＯ−１２３４ｚｅ（Ｅ）の合計量に対するＨＦＯ−１１２３の含有量の割合は、３５〜９５質量％が好ましく、４０〜９５質量％がより好ましく、５０〜９０質量％がさらに好ましく、５０〜８５質量％がよりさらに好ましく、６０〜８５質量％が最も好ましい。
ＨＦＯ−１１２３とＨＦＯ−１２３４ｚｅ（Ｅ）の合計量の作動媒体の全量に対する割合は、７０〜１００質量％が好ましい。８０〜１００質量％がより好ましく、９０〜１００質量％がさらに好ましく、９５〜１００質量％が特に好ましい。ＨＦＯ−１１２３とＨＦＯ−１２３４ｚｅ（Ｅ）の合計量が上記範囲内であれば、ＧＷＰを低く抑え、かつ熱サイクルに用いた際に一定の能力を維持しながら効率をより高めることで、良好なサイクル性能が得られる。
【００２５】
さらに、本発明の作動媒体が、ＨＦＣ−３２と（ＨＦＯ−１２３４ｙｆまたはＨＦＯ−１２３４ｚｅ（Ｅ））とを含有する場合、ＨＦＯ−１１２３とＨＦＣ−３２と（ＨＦＯ−１２３４ｙｆまたはＨＦＯ−１２３４ｚｅ（Ｅ））との合計量は、作動媒体の全量に対して９０質量％を超え１００質量％以下が好ましい。また、ＨＦＯ−１１２３とＨＦＣ−３２と（ＨＦＯ−１２３４ｙｆまたはＨＦＯ−１２３４ｚｅ（Ｅ））との合計量に対する、ＨＦＯ−１１２３の割合は８．５質量以上７０質量％未満であり、同じくＨＦＣ−３２の割合は３０質量％以上７５質量％以下であり、同じく（ＨＦＯ−１２３４ｙｆまたはＨＦＯ−１２３４ｚｅ（Ｅ））の割合は５０質量％以下であることが好ましい。（ＨＦＯ−１２３４ｙｆまたはＨＦＯ−１２３４ｚｅ（Ｅ））の割合は、より好ましくは４０質量％以下であり、最も好ましくは３０質量％以下である。
ＨＦＯ−１１２３をはじめとする各成分の割合を前記範囲内にすることで、地球温暖化への影響を抑えつつ、熱サイクルに用いた際に実用上十分なサイクル性能が得られる作動媒体とすることができる。
【００２６】
本発明の作動媒体が、ＨＦＯ−１１２３、ＨＦＯ−１２３４ｙｆおよびＨＦＣ−３２を含有する場合、別の好ましい組成範囲（Ｐ）を以下に示す。
なお、組成範囲（Ｐ）を示す各式において、各化合物の略称は、ＨＦＯ−１１２３とＨＦＯ−１２３４ｙｆとＨＦＣ−３２の合計量に対する当該化合物の割合（質量％）を示す。組成範囲（Ｒ）、組成範囲（Ｌ）、組成範囲（Ｍ）においても同様である。
【００２７】
＜組成範囲（Ｐ）＞
７０質量％≦ＨＦＯ−１１２３＋ＨＦＯ−１２３４ｙｆ
３０質量％≦ＨＦＯ−１１２３≦８０質量％
ＨＦＯ−１２３４ｙｆ≦４０質量％
０質量％＜ＨＦＣ−３２≦３０質量％
ＨＦＯ−１１２３／ＨＦＯ−１２３４ｙｆ≦９５／５質量％
【００２８】
上記組成を有する作動媒体は、ＨＦＯ−１１２３、ＨＦＯ−１２３４ｙｆおよびＨＦＣ−３２がそれぞれ有する特性がバランスよく発揮され、かつそれぞれが有する欠点が抑制された作動媒体である。すなわち、この作動媒体は、ＧＷＰが極めて低く抑えられ、熱サイクルに用いた際に、温度勾配が小さく、一定の能力と効率を有することで良好なサイクル性能が得られる作動媒体である。
【００２９】
本発明の作動媒体のより好ましい組成としては、ＨＦＯ−１１２３とＨＦＯ−１２３４ｙｆとＨＦＣ−３２の合計量に対して、ＨＦＯ−１１２３を３０〜７０質量％、ＨＦＯ−１２３４ｙｆを４〜４０質量％、およびＨＦＣ−３２を０〜３０質量％の割合で含有し、かつ、作動媒体全量に対するＨＦＯ−１１２３の含有量が７０モル％以下である組成が挙げられる。前記範囲の作動媒体は、上記の効果が高まるのに加え、ＨＦＯ−１１２３の自己分解反応が抑制され、耐久性の高い作動媒体である。相対成績係数の観点からは、ＨＦＣ−３２の含有量は５質量％以上が好ましく、８質量％以上がより好ましい。
【００３０】
また、本発明の作動媒体がＨＦＯ−１１２３、ＨＦＯ−１２３４ｙｆおよびＨＦＣ−３２を含む場合の別の好ましい組成は、作動媒体全量に対するＨＦＯ−１１２３の含有量が７０モル％以下の組成である。この組成であれば、ＨＦＯ−１１２３の自己分解反応が抑制され、耐久性の高い作動媒体が得られる。
さらに好ましい組成範囲（Ｒ）を、以下に示す。
＜組成範囲（Ｒ）＞
１０質量％≦ＨＦＯ−１１２３＜７０質量％
０質量％＜ＨＦＯ−１２３４ｙｆ≦５０質量％
３０質量％＜ＨＦＣ−３２≦７５質量％
【００３１】
上記組成を有する作動媒体は、ＨＦＯ−１１２３、ＨＦＯ−１２３４ｙｆおよびＨＦＣ−３２がそれぞれ有する特性がバランスよく発揮され、かつそれぞれが有する欠点が抑制された作動媒体である。すなわち、ＧＷＰが低く抑えられ、耐久性が確保されたうえで、熱サイクルに用いた際に、温度勾配が小さく、高い能力と効率を有することで良好なサイクル性能が得られる作動媒体である。
【００３２】
上記組成範囲（Ｒ）を有する本発明の作動媒体において、より好ましい組成範囲を、以下に示す。
２０質量％≦ＨＦＯ−１１２３＜７０質量％
０質量％＜ＨＦＯ−１２３４ｙｆ≦４０質量％
３０質量％＜ＨＦＣ−３２≦７５質量％
【００３３】
上記組成を有する作動媒体は、ＨＦＯ−１１２３、ＨＦＯ−１２３４ｙｆおよびＨＦＣ−３２がそれぞれ有する特性が特にバランスよく発揮され、かつそれぞれが有する欠点が抑制された作動媒体である。すなわち、ＧＷＰが低く抑えられ、耐久性が確保されたうえで、熱サイクルに用いた際に、温度勾配がより小さく、より高い能力と効率を有することで良好なサイクル性能が得られる作動媒体である。
【００３４】
上記組成範囲（Ｒ）を有する本発明の作動媒体において、別のより好ましい組成範囲（Ｌ）を以下に示す。組成範囲（Ｍ）がさらに好ましい。
＜組成範囲（Ｌ）＞
１０質量％≦ＨＦＯ−１１２３＜７０質量％
０質量％＜ＨＦＯ−１２３４ｙｆ≦５０質量％
３０質量％＜ＨＦＣ−３２≦４４質量％
【００３５】
＜組成範囲（Ｍ）＞
２０質量％≦ＨＦＯ−１１２３＜７０質量％
５質量％≦ＨＦＯ−１２３４ｙｆ≦４０質量％
３０質量％＜ＨＦＣ−３２≦４４質量％
【００３６】
上記組成範囲（Ｍ）を有する作動媒体は、ＨＦＯ−１１２３、ＨＦＯ−１２３４ｙｆおよびＨＦＣ−３２がそれぞれ有する特性が特にバランスよく発揮され、かつそれぞれが有する欠点が抑制された作動媒体である。すなわち、この作動媒体は、ＧＷＰの上限が３００以下に低く抑えられ、耐久性が確保されたうえで、熱サイクルに用いた際に、温度勾配が５．８未満と小さく、相対成績係数および相対冷凍能力が１に近く良好なサイクル性能が得られる作動媒体である。
この範囲にあると温度勾配の上限が下がり、相対成績係数×相対冷凍能力の下限が上がる。相対成績係数が大きい点から、８質量％≦ＨＦＯ−１２３４ｙｆがより好ましい。また、相対冷凍能力が大きい点から、ＨＦＯ−１２３４ｙｆ≦３５質量％がより好ましい。
【００３７】
本発明の作動媒体が、ＨＦＯ−１１２３、ＨＦＯ−１２３４ｚｅ（Ｅ）およびＨＦＣ−３２を含有する場合、別の好ましい組成範囲（Ｑ）を以下に示す。
なお、組成範囲（Ｑ）を示す各式において、各化合物の略称は、ＨＦＯ−１１２３とＨＦＯ−１２３４ｚｅ（Ｅ）とＨＦＣ−３２の合計量に対する当該化合物の割合（質量％）を示す。組成範囲（Ｓ）、組成範囲（Ｋ）、組成範囲（Ｎ）においても同様である。
【００３８】
＜組成範囲（Ｑ）＞
７０質量％≦ＨＦＯ−１１２３＋ＨＦＯ−１２３４ｚｅ（Ｅ）
３０質量％≦ＨＦＯ−１１２３≦８０質量％
ＨＦＯ−１２３４ｚｅ（Ｅ）≦４０質量％
０質量％＜ＨＦＣ−３２≦３０質量％
ＨＦＯ−１１２３／ＨＦＯ−１２３４ｚｅ（Ｅ）≦９５／５質量％
【００３９】
上記組成を有する作動媒体は、ＨＦＯ−１１２３、ＨＦＯ−１２３４ｚｅ（Ｅ）およびＨＦＣ−３２がそれぞれ有する特性がバランスよく発揮され、かつそれぞれが有する欠点が抑制された作動媒体である。すなわち、この作動媒体は、ＧＷＰが極めて低く抑えられ、熱サイクルに用いた際に、温度勾配が小さく、一定の能力と効率を有することで良好なサイクル性能が得られる作動媒体である。
【００４０】
本発明の作動媒体のより好ましい組成としては、ＨＦＯ−１１２３とＨＦＯ−１２３４ｚｅ（Ｅ）とＨＦＣ−３２の合計量に対して、ＨＦＯ−１１２３を３０〜７０質量％、ＨＦＯ−１２３４ｚｅ（Ｅ）を４〜４０質量％、およびＨＦＣ−３２を０〜３０質量％の割合で含有し、かつ、作動媒体全量に対するＨＦＯ−１１２３の含有量が７０モル％以下である組成が挙げられる。前記範囲の作動媒体は、上記の効果が高まるのに加え、ＨＦＯ−１１２３の自己分解反応が抑制され、耐久性の高い作動媒体である。相対成績係数の観点からは、ＨＦＣ−３２の含有量は５質量％以上が好ましく、８質量％以上がより好ましい。
【００４１】
また、本発明の作動媒体がＨＦＯ−１１２３、ＨＦＯ−１２３４ｚｅ（Ｅ）およびＨＦＣ−３２を含む場合の別の好ましい組成は、作動媒体全量に対するＨＦＯ−１１２３の含有量が７０モル％以下の組成である。この組成であれば、ＨＦＯ−１１２３の自己分解反応が抑制され、耐久性の高い作動媒体が得られる。
さらに好ましい組成範囲（Ｓ）を、以下に示す。
＜組成範囲（Ｓ）＞
１０質量％≦ＨＦＯ−１１２３＜７０質量％
０質量％＜ＨＦＯ−１２３４ｚｅ（Ｅ）≦５０質量％
３０質量％＜ＨＦＣ−３２≦７５質量％
【００４２】
上記組成を有する作動媒体は、ＨＦＯ−１１２３、ＨＦＯ−１２３４ｚｅ（Ｅ）およびＨＦＣ−３２がそれぞれ有する特性がバランスよく発揮され、かつそれぞれが有する欠点が抑制された作動媒体である。すなわち、ＧＷＰが低く抑えられ、耐久性が確保されたうえで、熱サイクルに用いた際に、温度勾配が小さく、高い能力と効率を有することで良好なサイクル性能が得られる作動媒体である。
【００４３】
上記組成範囲（Ｓ）を有する本発明の作動媒体において、より好ましい組成範囲を、以下に示す。
２０質量％≦ＨＦＯ−１１２３＜７０質量％
０質量％＜ＨＦＯ−１２３４ｚｅ（Ｅ）≦４０質量％
３０質量％＜ＨＦＣ−３２≦７５質量％
【００４４】
上記組成を有する作動媒体は、ＨＦＯ−１１２３、ＨＦＯ−１２３４ｚｅ（Ｅ）およびＨＦＣ−３２がそれぞれ有する特性が特にバランスよく発揮され、かつそれぞれが有する欠点が抑制された作動媒体である。すなわち、ＧＷＰが低く抑えられ、耐久性が確保されたうえで、熱サイクルに用いた際に、温度勾配がより小さく、より高い能力と効率を有することで良好なサイクル性能が得られる作動媒体である。
【００４５】
上記組成範囲（Ｓ）を有する本発明の作動媒体において、別のより好ましい組成範囲（Ｋ）を以下に示す。組成範囲（Ｎ）がさらに好ましい。
＜組成範囲（Ｌ）＞
１０質量％≦ＨＦＯ−１１２３＜７０質量％
０質量％＜ＨＦＯ−１２３４ｚｅ（Ｅ）≦５０質量％
３０質量％＜ＨＦＣ−３２≦４４質量％
【００４６】
＜組成範囲（Ｎ）＞
２０質量％≦ＨＦＯ−１１２３＜７０質量％
５質量％≦ＨＦＯ−１２３４ｚｅ（Ｅ）≦４０質量％
３０質量％＜ＨＦＣ−３２≦４４質量％
【００４７】
上記組成範囲（Ｎ）を有する作動媒体は、ＨＦＯ−１１２３、ＨＦＯ−１２３４ｚｅ（Ｅ）およびＨＦＣ−３２がそれぞれ有する特性が特にバランスよく発揮され、かつそれぞれが有する欠点が抑制された作動媒体である。すなわち、この作動媒体は、ＧＷＰの上限が３００以下に低く抑えられ、耐久性が確保されたうえで、熱サイクルに用いた際に、温度勾配が５．８未満と小さく、相対成績係数および相対冷凍能力が１に近く良好なサイクル性能が得られる作動媒体である。
この範囲にあると温度勾配の上限が下がり、相対成績係数×相対冷凍能力の下限が上がる。相対成績係数が大きい点から、８質量％≦ＨＦＯ−１２３４ｚｅ（Ｅ）がより好ましい。また、相対冷凍能力が大きい点から、ＨＦＯ−１２３４ｚｅ（Ｅ）≦３５質量％がより好ましい。
【００４８】
＜他の成分＞
本発明の作動媒体には、ＨＦＯ−１１２３、ＨＦＣ−３２、ＨＦＯ−１２３４ｙｆ、ＨＦＯ−１２３４ｚｅ（Ｅ）以外の成分を含有してもよい。他の成分の含有量は、作動媒体の全量を１００質量％として、合計で１．５質量％未満が好ましく、１．４質量％以下がより好ましい。
【００４９】
他の成分は、ＨＦＯ−１１２３の製造の際に生成する組成物（例えば、反応器からの出口ガスをいう。以下同様である。）に含まれる不純物（原料中の不純物、中間生成物、副生物等が含まれる。以下同様である。）、ＨＦＣ−３２の製造の際に生成する組成物に含まれる不純物、ＨＦＯ−１２３４ｙｆの製造の際に生成する組成物に含まれる不純物、ＨＦＯ−１２３４ｚｅ（Ｅ）の製造の際に生成する組成物に含まれる不純物である。
【００５０】
他の成分の化合物の略称、化学式および名称を、表１および表２に示す。なお、表１および表２は、ＨＦＯ−１１２３、ジフルオロエチレン（ＨＦＯ−１１３２ａおよびＨＦＯ−１１３２）、ＨＦＣ−３２、ＨＦＯ−１２３４ｙｆ、およびＨＦＯ−１２３４ｚｅ（Ｅ）の略称、化学式および名称も併せて示す。
【００５１】
【表１】
0006481680.tif 000002
【００５２】
【表２】
0006481680.tif 000003
【００５３】
次に、ＨＦＯ−１１２３、ＨＦＣ−３２、ＨＦＯ−１２３４ｙｆ、およびＨＦＯ−１２３４ｚｅ（Ｅ）の各化合物を製造する方法と、それらの製造時に得られた組成物に含有される不純物について説明する。
【００５４】
＜ＨＦＯ−１１２３の製造＞
ＨＦＯ−１１２３を製造する方法としては、例えば、（Ｉ）クロロトリフルオロエチレン（ＣＴＦＥ）（ＣＦＯ−１１１３）の水素還元と、（II）クロロジフルオロメタン（ＨＣＦＣ−２２）とクロロフルオロメタン（ＨＣＦＣ−３１）との熱分解を伴う合成、および（III）１，１，１，２−テトラフルオロエタン（ＨＦＣ−１３４ａ）と固体反応剤との接触反応の３つの方法を挙げることができる。
【００５５】
（Ｉ）ＣＦＯ−１１１３の水素還元
ＣＦＯ−１１１３と水素とを、触媒担持担体が充填された触媒層を有する反応器内で気相で反応させ、ＨＦＯ−１１２３を含むガスを生成する。
この方法では、反応器内で［化１］の反応式に示す反応が行われる。
【化１】
0006481680.tif 000004
【００５６】
原料組成物におけるＣＦＯ−１１１３と水素の割合は、ＣＦＯ−１１１３の１モルに対して水素が０．０１〜４．０モルの範囲である。反応器内の圧力は、取り扱い性の点から、常圧が好ましい。触媒としてはパラジウム触媒が好ましく、パラジウム触媒は活性炭等の担体に担持して用いる。気相反応を行うために、触媒層の温度は、ＣＦＯ−１１１３と水素を含む原料組成物（混合ガス）の露点以上の温度とする。２２０℃から２４０℃の範囲が好ましい。原料化合物であるＣＦＯ−１１１３と触媒との接触時間は、４〜６０秒間が好ましい。
【００５７】
このようなＣＦＯ−１１１３の水素還元においては、ＨＦＯ−１１２３を含む組成物を反応器の出口ガスとして得ることができる。出口ガスに含有されるＨＦＯ−１１２３以外の化合物としては、未反応原料であるＣＦＯ−１１１３に加えて、ＨＦＯ−１１３２、ＨＦＯ−１１３２ａ、ＨＣＦＯ−１１２２、ＨＣＦＯ−１１２２ａ、ＨＦＣ−１４３、メタン、ＨＦＣ−１５２ａ、ＨＣＦＣ−１４２、ＨＣＦＣ−１４２ｂ、ＨＣＦＣ−１３３、ＨＣＦＣ−１３３ｂ、ＨＣＦＣ−１２３ａ、ＣＦＣ−１１３、およびＣＦＯ−１１１２等が挙げられる。
【００５８】
（II）ＨＣＦＣ−２２とＨＣＦＣ−３１との熱分解を伴う合成
ＨＣＦＣ−２２とＨＣＦＣ−３１を含む原料組成物を用い、熱媒体の存在下で熱分解を伴う合成反応によりＨＦＯ−１１２３を製造する。
この製造方法では、ＨＣＦＣ−２２の１モルに対してＨＣＦＣ−３１を０．０１〜４．０モルの割合で予め混合し、または別々に反応器に供給して反応器内に滞留させ、一方熱媒体を反応器に供給し、反応器内で前記原料組成物と接触させる。反応器内の温度は、４００〜１２００℃とすることが好ましい。
【００５９】
この製造方法における反応器内の主な反応を、［化２］の式に示す。
【化２】
0006481680.tif 000005
【００６０】
原料組成物は、常温のまま反応器に導入してもよいが、反応器内での反応性を高めるために、予め加熱してから反応器に導入してもよい。反応器に供給するＨＣＦＣ−３１の温度は０〜６００℃とするのが好ましく、ＨＣＦＣ−２２の温度は常温（２５℃）以上６００℃以下とするのが好ましい。
熱媒体は、反応器内の温度で熱分解が生じない媒体であり、水蒸気を５０体積％以上含み、残部が窒素および／または二酸化炭素である気体の使用が好ましい。熱媒体の供給量は、熱媒体と前記原料組成物の供給量の合計に対して２０〜９８体積％が好ましい。熱媒体と原料組成物との反応器内での接触時間は、０．０１〜１０秒間とするのが好ましく、反応器内の圧力は、ゲージ圧で０〜２．０ＭＰａとするのが好ましい。
【００６１】
このようなＨＣＦＣ−２２とＨＣＦＣ−３１との熱分解を伴う合成においては、ＨＦＯ−１１２３を含む組成物を反応器の出口ガスとして得ることができる。出口ガスに含有されるＨＦＯ−１１２３以外の化合物としては、未反応原料であるＨＣＦＣ−２２およびＨＣＦＣ−３１に加えて、ＨＦＯ−１１３２、ＨＦＯ−１１３２ａ、ＨＦＯ−１１４１、ＣＦＯ−１１１３、ＨＣＦＯ−１１２２、ＨＣＦＯ−１１２２ａ、ＨＦＣ−１４３、ＦＯ−１１１４、ＨＣＦＯ−１１３１、ＨＦＯ−１２５２ｚｆ、ＨＦＯ−１２４３ｚｆ、ＨＦＯ−１２３４ｙｆ、ＨＦＯ−１２３４ｚｅ、ＦＯ−１２１６、ＨＦＣ−１２５、ＨＦＣ−１３４、ＨＦＣ−１３４ａ、ＨＦＣ−１４３ａ、ＨＣＦＣ−１２４、ＨＣＦＣ−１２４ａ、ＨＦＣ−２２７ｃａ、ＨＦＣ−２２７ｅａ、ＨＦＣ−２３６ｆａ、ＨＦＣ−２３６ｅａ、ＣＦＣ−１２、ＨＦＣ−２３、ＨＦＣ−３２、ＨＦＣ−４１、ＨＣＣ−４０、ＲＣ−３１８およびメタン等が挙げられる。
【００６２】
（III）ＨＦＣ−１３４ａと固体反応剤との接触反応
ＨＦＣ−１３４ａを含む原料ガスと固体反応剤とを反応器内で接触させて反応させ、ＨＦＯ−１１２３を含む組成物（ガス）を生成する。固体反応剤としては、例えば、粒子状の酸化カルシウムを使用することができる。
この態様における反応器内の主な反応を、下記式に示す。
２ＣＦ３−ＣＨ２Ｆ  ＋  ＣａＯ  →  ２ＣＦ２＝ＣＨＦ  ＋  ＣａＦ２  ＋  Ｈ２Ｏ
【００６３】
原料ガス（１００モル％）中のＨＦＣ−１３４ａの含有量は、５〜１００モル％が好ましい。また、反応器内の温度は２００〜５００℃が好ましく、圧力はゲージ圧で０〜２ＭＰａが好ましい。
【００６４】
また、特に、所定の平均粒子径（１μｍ〜５０００μｍ）の粒子状の固体反応剤（例えば、炭酸カリウムおよび／または酸化カルシウム）を使用し、この固体反応剤の層中にＨＦＣ−１３４ａを含む原料ガスを流通させて、固体反応剤層が流動化した状態でＨＦＣ−１３４ａを接触させる方法を採ることもできる。この態様では、ＨＦＣ−１３４ａを固体反応剤と接触させる温度は１００℃〜５００℃の範囲が好ましい。
【００６５】
このようなＨＦＣ−１３４ａと固体反応剤との接触反応においては、ＨＦＯ−１１２３を含む組成物を反応器の出口ガスとして得ることができる。出口ガスに含有されるＨＦＯ−１１２３と未反応の原料成分（ＨＦＣ−１３４ａ）以外の化合物としては、フッ化水素、Ｅ／Ｚ−ＨＦＯ−１１３２、ＨＦＯ−１１３２ａ、ＨＦＣ−１４３、ＨＦＣ−１４３ａ、メタン、エタン、エチレン、プロパン、プロピレン、ブタン、イソブタン、１−ノルマルブテン、２−ノルマルブテン、イソブテン、ＨＦＯ−１１４１、ＨＦＯ−１２５２ｚｆ、ＨＦＯ−１２４３ｚｆ、ＨＦＯ−１２３４ｙｆ、Ｅ／Ｚ−ＨＦＯ−１２３４ｚｅ、ＦＯ−１２１６、ＨＦＣ−１２５、ＨＦＣ−１３４、ＨＦＣ−１４３ａ、ＨＦＣ−２２７ｃａ、ＨＦＣ−２２７ｅａ、ＨＦＣ−２３６ｆａ、ＨＦＣ−２３６ｅａ、ＨＦＣ−３２、ＨＦＣ−２３およびＨＦＣ−４１等が挙げられる。
【００６６】
このように、ＨＦＯ−１１２３の各製造方法では、ＨＦＯ−１１２３とともに、前記したジフルオロエチレン化合物（ＨＦＯ−１３２ａおよび／またはＨＦＯ−１３２）と、各種の化合物が、反応器からの出口ガスのような生成組成物中に不純物として存在する。これらの不純物から、前記ジフルオロエチレン化合物とＨＦＣ−３２およびＨＦＯ−１２３４ｙｆを除いた化合物が、前記した第１の化合物である。
【００６７】
＜ＨＦＣ−３２の製造＞
ＨＦＣ−３２を製造する方法としては、ジクロロメタン（ＨＣＣ−３０）とフッ化水素とを、フッ化アルミニウム触媒、またはフッ化アルミニウムを担体と混合成型した触媒、あるいはフッ化クロムを担体に担持させた触媒を用い、２００〜５００℃の温度で気相反応させる方法を挙げることができる。この方法では、反応器の出口ガスに、目的とするＨＦＯ−３２とともに、ＨＦＣ−３１が含有される。また、未反応のＨＣＣ−３０も含有される。
【００６８】
また、ＨＦＣ−３２を製造する別の態様として、ＨＣＣ−３０とフッ化水素とを、五フッ化アンチモンと三フッ化アンチモンとの混合物、または所定濃度の五フッ化アンチモンのようなフッ素化触媒の存在下、液相で反応させる（８０〜１５０℃の温度、８〜８０ｋｇ／ｃｍ２の圧力）方法を挙げることができる。この方法では、ＨＦＣ−３２の他に、不純物として、ＨＦＣ−３１、ＨＦＣ−２３およびＨＣＣ−４０が生成する。
【００６９】
このようにＨＦＣ−３２の各製造方法では、不純物として、ＨＣＣ−３０、ＨＦＣ−３１、ＨＦＣ−２３、およびＨＣＣ−４０が生成する。これらの不純物が前記した第１の化合物である。
【００７０】
＜ＨＦＯ−１２３４ｙｆの製造＞
ＨＦＯ−１２３４ｙｆを製造する方法としては、（ｉ）ジクロロペンタフルオロプロパン（ＨＣＦＣ−２２５）の異性体混合物を用いる方法（２２５法）、（ii）ヘキサフルオロプロペン（ＦＯ−１２１６）を原料化合物とする方法（ＨＦＰ法）、（iii）１，１，２，３−テトラクロロプロペン（ＨＣＣ−１２３０）を出発物質とする方法（ＴＣＰ法）、（iv）熱媒体存在下、原料組成物の熱分解を伴う合成反応させる方法等を挙げることができる。
【００７１】
（ｉ）２２５法
ＨＣＦＣ−２２５の異性体混合物を用いてＨＦＯ−１２３４ｙｆを製造する。この方法では、以下の［化３］に示す反応経路の通り、原料中の１，１−ジクロロ−２，２，３，３，３−ペンタフルオロプロパン（ＨＣＦＣ−２２５ｃａ）を選択的に脱フッ化水素させて１，１−ジクロロ−２，３，３，３−テトラフルオロプロペン（ＣＦＯ−１２１４ｙａ）を製造し、得られるＣＦＯ−１２１４ｙａを還元してＨＦＯ−１２３４ｙｆを製造する。
【化３】
0006481680.tif 000006
【００７２】
この製造方法において、ＨＦＯ−１２３４ｙｆとともに得られる不純物として、以下の化合物が挙げられる。すなわち、原料に含まれる不純物として、ＨＣＦＣ−２２５ｃａ、その異性体であるＨＣＦＣ−２２５ｃｂ、ＨＣＦＣ−２２５ａａ等が挙げられる。また、中間生成物として、ＣＦＯ−１２１４ｙａ、ＨＣＦＯ−１２２４ｙｄ等が挙げられる。さらに、副生物として、ＨＣＦＣ−２２５ｃａの還元体であるＨＦＣ−２５４ｅｂ、ＨＣＦＣ−２２５ａａが脱塩化水素反応した後、還元して得られるＨＦＯ−１２２５ｚｃ、ＨＦＯ−１２３４ｙｆの過還元体であるＨＦＯ−１２４３ｚｆ、ＨＦＯ−１２５２ｚｆ等が挙げられる。
【００７３】
（ｉｉ）ＨＦＰ法
ＦＯ−１２１６（ＰＦＯ−１２１６ｙｃ）を原料化合物とし、以下の［化４］に示す反応経路によりＨＦＯ−１２３４ｙｆを製造する。
【化４】
0006481680.tif 000007
【００７４】
この製造方法においては、ＨＦＯ−１２３４ｙｆとともに得られる不純物として、ＦＯ−１２１６、ＨＦＯ−１２２５ｙｅ、ＨＦＯ−１２３４ｚｅ等が挙げられる。
【００７５】
さらに、１，２，３−トリクロロプロパンを原料化合物として、以下の［化５］に示す反応経路によりＨＦＯ−１２３４ｙｆを製造することができる。この製造方法では、ＨＦＣ−２４５ｃｂが有機不純物となる。
【化５】
0006481680.tif 000008
【００７６】
（iii）ＴＣＰ法
ＨＣＣ−１２３０を出発物質として、ＨＦＯ−１２３４ｙｆを生成する。すなわち、以下の［化６］に示す反応経路の通り、ＨＣＣ−１２３０をフッ化水素でフッ素化して２−クロロ−３，３，３−トリフルオロプロペン（ＨＣＦＯ−１２３３ｘｆ）とした後、このＨＣＦＯ−１２３３ｘｆをフッ化水素と反応させて２−クロロ−１，１，１，２−テトラフルオロプロパン（ＨＣＦＣ−２４４ｂｂ）とし、さらにＨＣＦＣ−２４４ｂｂを脱ハロゲン化水素してＨＦＯ−１２３４ｙｆを生成する。
【００７７】
【化６】
0006481680.tif 000009
【００７８】
この製造方法においては、ＨＣＦＯ−１２３３ｘｆ、ＨＣＦＣ−２４４ｂｂ、ＨＦＯ−１２３４ｚｅ、ＨＦＯ−１２４３ｚｆ、１，１，１，２，３−ペンタフルオロプロパン（ＨＦＣ−２４５ｅｂ）等が、不純物として生成する。
【００７９】
（iv）熱分解を伴う合成法
熱媒体存在下、原料組成物から熱分解を伴う合成反応によりＨＦＯ−１２３４ｙｆを製造する。熱媒体としては、水蒸気、窒素、二酸化炭素等が使用される。水蒸気を５０体積％以上含み、残部が窒素および／または二酸化炭素である気体の使用が好ましい。
【００８０】
原料組成物としては、反応器内で熱媒体との接触により分解してジフルオロカルベン（Ｆ２Ｃ：）を発生し得る化合物と、クロロメタンまたはメタンとが混合して用いられる。
具体的には、以下の（iv−１）〜（iv−６）に示す化合物を含む原料組成物が使用される。そして、それぞれの項に示す化合物が、ＨＦＯ−１２３４ｙｆおよび未反応の原料成分以外に、反応器からの出口ガスの成分（不純物）として得られる。
【００８１】
（iv−１）ＨＣＦＣ−２２とＨＣＣ−４０
ＨＣＦＣ−２２とＨＣＣ−４０を所定の割合で混合して、または別々に反応器に供給するとともに、反応器に熱媒体を供給し、反応器内でＨＣＦＣ−２２とＨＣＣ−４０を含む原料組成物と熱媒体とを接触させ、熱分解を伴う合成反応により、ＨＦＯ−１２３４ｙｆとＨＦＯ−１１３２ａを生成する。反応器内の温度は、４００〜１２００℃とする。反応器内の主な反応を以下の［化７］に示す。
【００８２】
【化７】
0006481680.tif 000010
【００８３】
反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＨＦＯ−１１２３、ＲＣ-３１８、ＨＦＯ−１２３４ｚｅ）、ＨＦＯ−１１３２等が挙げられる。
【００８４】
（iv−２）ＨＣＦＣ−２２とＨＣＣ−４０とＦＯ−１１１４
ＨＣＦＣ−２２とＨＣＣ−４０とＦＯ−１１１４を、予め混合してまたは別々に反応器に供給し、反応器内に所定の時間滞留させ、熱媒体を反応器に供給し、反応器内で原料組成物と熱媒体とを接触させる。そして、熱分解を伴う合成反応により、ＨＦＯ−１２３４ｙｆとＨＦＯ−１１３２ａを生成する。反応器内の温度は、４００〜１２００℃とする。反応器内の主な反応を以下の［化８］に示す。
【００８５】
【化８】
0006481680.tif 000011
【００８６】
反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＨＦＯ−１１２３、ＲＣ３１８、ＨＦＯ−１２４３ｚｆ等が挙げられる。
【００８７】
（iv−３）Ｒ３１８とＨＣＣ−４０
熱媒体存在下、Ｒ３１８とＨＣＣ−４０を含む原料組成物から、熱分解を伴う合成反応によりＨＦＯ−１２３４ｙｆおよびＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＨＦＣ−２２、ＦＯ−１１１４、ＦＯ−１２１６、ＣＦＯ−１１１３、ＨＦＯ−１１２３、ＨＦＯ−１２３４ｚｅ、ＨＦＯ−１１３２等が挙げられる。
【００８８】
（iv−４）ＦＯ−１２１６とＨＣＣ−４０
熱媒体存在下、ＦＯ−１２１６とＨＣＣ−４０を含む原料組成物から、熱分解を伴う合成反応によりＨＦＯ−１２３４ｙｆおよびＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＨＦＣ−２２、ＨＦＣ−２３、ＦＯ−１１１４、ＦＯ−１２１６、ＣＦＯ−１１１３、ＲＣ３１８、ＨＦＯ−１１２３、ＨＦＯ−１２３４ｚｅ、ＨＦＯ−１１３２等が挙げられる。
【００８９】
（iv−５）ＨＦＣ−２２および／またはＦＯ−１１１４とメタン
熱媒体存在下、ＨＦＣ−２２および／またはＦＯ−１１１４と、メタンを含む原料組成物から、熱分解を伴う合成反応によりＨＦＯ−１２３４ｙｆとＨＦＯ−１１３２ａを製造する。反応器の出口ガスに含有されるＨＦＯ−１２３４ｙｆとＨＦＯ−１１３２ａおよび未反応の原料成分以外の化合物としては、メタン、エチレン、ＦＯ−１１１４、ＦＯ−１２１６、ＣＦＯ−１１１３、ＲＣ３１８、ＨＦＯ−１１２３、ＨＦＯ−１２４３ｚｆ等が挙げられる。
【００９０】
（iv−６）ＦＯ−１１１４とＨＣＣ−４０
熱媒体存在下、ＦＯ−１１１４とＨＣＣ−４０を含む原料組成物から、熱分解を伴う合成反応によりＨＦＯ−１２３４ｙｆを製造する。原料組成物および熱媒体が供給される反応器内の温度は４００〜８７０℃とする。反応器の出口ガスに含有されるＨＦＯ−１２３４ｙｆおよび未反応の原料成分以外の化合物としては、メタン、エチレン、ＦＯ−１２１６、ＣＦＯ−１１１３、ＲＣ３１８、ＨＦＯ−１１３２ａ、ＨＦＯ−１１２３、ＨＦＯ−１２４３ｚｆ等が挙げられる。
＜ＨＦＯ−１２３４ｚｅ（Ｅ）の製造＞
ＨＦＯ−１２３４ｚｅ（Ｅ）を製造する方法としては、（ｉ）１−クロロ‐３，３，３−トリフルオロプロペン（ＨＣＦＯ−１２３３ｚｄ）のフッ素化による方法、（ii）ＨＦＣ−２４５ｆａの脱フッ化水素反応による方法等を挙げることができる。
【００９１】
（ｉ）ＨＦＯ−１２３３ｚｄのフッ素化による方法
ＨＣＦＯ−１２３３ｚｄを用いてＨＦＯ−１２３４ｚｅ（Ｅ）を製造する。この方法では、以下の［化４］に示す反応経路の通り、１，１，１，３，３−ペンタクロロプロパンにフッ化水素を反応させることにより得られたＨＣＦＯ−１２３３ｚｄを、気相中、フッ素化触媒存在下、フッ化水素を反応させることによりフッ素化させてＨＦＯ−１２３４ｚｅ（Ｅ）を製造する。
あるいは、［化５］に示す反応経路の通り、原料中のＨＣＦＯ−１２３３ｚｄにフッ化水素を反応させ、３−クロロ−１，１，１，３−テトラフルオロプロパン（ＨＣＦＣ−２４４ｆａ）及び１，１，１，３，３−ペンタフルオロプロパン（ＨＦＣ−２４５ｆａ）を含む中間生成物を形成したのち、これら中間生成物を苛性溶液と反応させ、ＨＣＦＣ−２４４ｆａの脱塩化水素反応及びＨＦＣ−２４５ｆａの脱フッ化水素反応によりＨＦＯ−１２３４ｚｅ（Ｅ）を製造する。
【化９】
0006481680.tif 000012
【化１０】
0006481680.tif 000013
【００９２】
この製造方法において、ＨＦＯ−１２３４ｚｅ（Ｅ）とともに得られる不純物として、以下の化合物が挙げられる。すなわち、原料に含まれる不純物として、ＨＣＦＯ−１２３３ｚｄやＨＣＦＯ−１２３３ｚｄの原料である１，１，１，３，３−ペンタクロロプロパン等、また、中間生成物として、ＨＣＦＣ−２４４ｆａ、ＨＦＣ−２４５ｆａ等が挙げられる。さらに、副生物として、ＨＦＯ−１２３４ｚｅ（Ｅ）の異性体であるＨＦＯ−１２３４ｚｅ（Ｚ）、ＨＣｌ、ＨＦ等が挙げられる。
（ii）ＨＦＣ−２４５ｆａの脱フッ化水素化反応による方法
ＨＦＣ−２４５ｆａを用いてＨＦＯ−１２３４ｚｅ（Ｅ）を製造する。この方法では、原料中のＨＦＣ−２４５ｆａを気相中、触媒に接触させる、あるいは、苛性溶液と高温で反応させ、ＨＦＣ−２４５ｆａの脱フッ化水素反応によりＨＦＯ−１２３４ｚｅ（Ｅ）を製造する。
【００９３】
この製造方法において、ＨＦＯ−１２３４ｚｅ（Ｅ）とともに得られる不純物として、以下の化合物が挙げられる。すなわち、原料に含まれる不純物としてＨＦＣ−２４５ｆａ等、さらに副生物として、ＨＦＯ−１２３４ｚｅ（Ｅ）の異性体であるＨＦＯ−１２３４ｚｅ（Ｚ）、ＨＦ等が挙げられる。
なお、ＨＦＯ−１２３４ｚｅ（Ｅ）の沸点は約−１９℃、ＨＦＣ−２４５ｆａの沸点は約１５℃、ＨＦＯ−１２３４ｚｅ（Ｚ）の沸点は約９℃であり、蒸留等の操作によって、分離可能である。
【００９４】
以上記載したように、本発明の作動媒体は、他の成分を含有することができるので、作動媒体としての生産性が高い。
【００９５】
本発明の作動媒体は、オゾン層への影響が少なく、かつ地球温暖化への影響が少ないうえに、サイクル性能に優れており、熱サイクルシステム用の作動媒体として有用である。熱サイクルシステムとしては、具体的には、冷凍・冷蔵機器、空調機器、発電システム、熱輸送装置および二次冷却機等が挙げられる。
【００９６】
空調機器として、具体的には、ルームエアコン、パッケージエアコン（店舗用パッケージエアコン、ビル用パッケージエアコン、設備用パッケージエアコン等）、ガスエンジンヒートポンプ、列車空調装置、自動車用空調装置等が挙げられる。
冷凍・冷蔵機器として、具体的には、ショーケース（内蔵型ショーケース、別置型ショーケース等）、業務用冷凍・冷蔵庫、自動販売機、製氷機等が挙げられる。
発電システムとして、具体的には、蒸発器において地熱エネルギー、太陽熱、５０〜２００℃程度の中〜高温度域廃熱等により作動媒体を加熱し、高温高圧状態の蒸気となった作動媒体を膨張機にて断熱膨張させ、該断熱膨張によって発生する仕事によって発電機を駆動させ、発電を行うシステムが例示される。
熱輸送装置としては、潜熱輸送装置が好ましい。潜熱輸送装置としては、装置内に封入された作動媒体の蒸発、沸騰、凝縮等の現象を利用して潜熱輸送を行うヒートパイプおよび二相密閉型熱サイフォン装置が挙げられる。ヒートパイプは、半導体素子や電子機器の発熱部の冷却装置等、比較的小型の冷却装置に適用される。二相密閉型熱サイフォンは、ウィッグを必要とせず構造が簡単であることから、ガス−ガス型熱交換器、道路の融雪促進および凍結防止等に広く利用される。
【実施例】
【００９７】
以下、実施例により本発明を説明するが、本発明は以下の実施例に限定されない。例１〜３、および例５〜例１６３までの奇数番号が実施例であり、例４〜例１６４までの偶数番号が比較例である。【００９８】
［例１〜１６４］
ＨＦＯ−１１２３と、ＨＦＣ−３２および／またはＨＦＯ−１２３４ｙｆ、ＨＦＯ−１２３４ｚｅ（Ｅ）を表３〜表７に示す割合で含み、かつ作動媒体に対してＨＦＯ−１１３２ａを同表に示す割合で含有する作動媒体を作製した。そして、これらの作動媒体について、以下の方法で、冷凍サイクル性能（以下、冷凍能力Ｑという。）を測定した。
なお、冷凍能力Ｑは負荷流体を冷凍する能力を意味しており、Ｑが高いほど同一のシステムにおいて、多くの仕事ができることを意味している。言い換えると、大きなＱを有する場合は、少量の作動媒体で目的とする性能が得られることを表しており、システムの小型化が可能となる。【００９９】
［冷凍能力Ｑの測定］
冷凍能力Ｑの測定は、図１に示す冷凍サイクルシステム１０に作動媒体を適用して、図２に示す熱サイクル、すなわちＡＢ過程で圧縮機１１による断熱圧縮、ＢＣ過程で凝縮器１２による等圧冷却、ＣＤ過程で膨張弁１３による等エンタルピ膨張、ＤＡ過程で蒸発器１４による等圧加熱を実施した場合について行った。【０１００】
なお、図１に示す冷凍サイクルシステム１０は、作動媒体（蒸気）を圧縮する圧縮機１１と、圧縮機１１から排出された作動媒体の蒸気を冷却し液体とする凝縮器１２と、凝縮器１２から排出された作動媒体（液体）を膨張させる膨張弁１３と、膨張弁１３から排出された液状の作動媒体を加熱して蒸気とする蒸発器１４とを備える。この冷凍サイクルシステム１０において、作動媒体は、蒸発時、蒸発器１４の入口から出口に向かい温度が上昇し、反対に凝縮時、凝縮器１２の入口から出口に向かい温度が低下する。冷凍サイクルシステム１０においては、蒸発器１４および凝縮器１２において、作動媒体と対向して流れる水や空気等の熱源流体との間で熱交換を行うことにより構成されている。熱源流体は、冷凍サイクルシステム１０において、蒸発器１４では「Ｅ→Ｅ’」で示され、凝縮器１２では「Ｆ→Ｆ’」で示される。【０１０１】
測定条件は、蒸発器１４における作動媒体の平均蒸発温度を０℃、凝縮器１２における作動媒体の平均凝縮温度を４０℃、凝縮器１２における作動媒体の過冷却度（ＳＣ）を５℃、蒸発器１４における作動媒体の過熱度（ＳＨ）を５℃として実施した。【０１０２】
蒸発器において、熱源流体としてフッ素系ブライン（アサヒクリンＡＥ−３０００：旭硝子株式会社製）を用い、蒸発器１４での熱交換の前後の熱源流体の温度と流量から、作動媒体の冷凍能力Ｑを求めた。【０１０３】
冷凍能力Ｑの評価結果を、表３〜表７にそれぞれ示す。表３〜表７において、各作動媒体組成物中のＨＦＯ−１１３２ａの含有量が０ｐｐｍの時の冷凍能力Ｑを１とした際の相対能力の値が１以上を◎（優）、０．９〜１未満を○（良）、０．７〜０．９未満の場合を△（やや不良）、０．７未満を×（不良）と評価して記載した。【０１０４】
【表３】
0006481680.tif 000014
【０１０５】
【表４】
0006481680.tif 000015
【０１０６】
【表５】
0006481680.tif 000016
【０１０７】
【表６】
0006481680.tif 000017
【０１０８】
【表７】
0006481680.tif 000018
【０１０９】
表３〜表７から、ＨＦＯ−１１２３と、ＨＦＣ−３２および／またはＨＦＯ−１２３４ｙｆ、ＨＦＯ−１２３４ｚｅ（Ｅ）と、ＨＦＯ−１１３２ａとを含み、かつＨＦＯ−１１３２ａの含有量の作動媒体に対する割合が１．５質量％未満となっている例１〜３、および例５〜例１６３までの奇数番号の作動媒体は、冷凍能力Ｑに優れることがわかる。これに対して、ＨＦＯ−１１３２ａの含有量の作動媒体に対する割合が１．５質量％以上である例４〜例１６４までの偶数番号の作動媒体は、冷凍能力Ｑが不良である。
【産業上の利用可能性】
【０１１０】
本発明の熱サイクル用作動媒体は、冷凍・冷蔵機器（内蔵型ショーケース、別置型ショーケース、業務用冷凍・冷蔵庫、自動販売機、製氷機等）、空調機器（ルームエアコン、店舗用パッケージエアコン、ビル用パッケージエアコン、設備用パッケージエアコン、ガスエンジンヒートポンプ、列車用空調装置、自動車用空調装置等）、発電システム（廃熱回収発電等）、熱輸送装置（ヒートパイプ等）に利用可能である。
なお、２０１４年２月２０日に出願された日本特許出願２０１４−０３０８５５号、２０１４年６月２０日に出願された日本特許出願２０１４−１２７７４７号および２０１４年７月１８日に出願された日本特許出願２０１４−１４８３４６号の明細書、特許請求の範囲、要約書および図面の全内容をここに引用し、本発明の明細書の開示として、取り入れるものである。
【符号の説明】
【０１１１】
１０…冷凍サイクルシステム、１１…圧縮機、１２…凝縮器、１３…膨張弁、１４…蒸発器、１５，１６…ポンプ。
【図１】
0006481680.tif 000019
【図２】
0006481680.tif 000020